(57)【要約】【課題】チャネル品質インジケータ（ＣＱＩ）ビットおよびプリコーディング制御情報（ＰＣＩ）ビットを符号化するための方法および装置が開示されている。【解決手段】ＣＱＩビットおよび／またはＰＣＩビットなどの入力ビットの各々は、特定の重要性を有する。入力ビットは、線形ブロック符号化で符号化される。入力ビットは、各入力ビットの重要性に基づく不均一誤り保護が提供される。入力ビットは、各入力ビットの重要性に基づいて複製することができ、均一保護符号化を行うことができる。符号化のための生成行列は、従来の基底シーケンスの基本オペレーションによって生成されて、より多くの保護を最上位ビット（ＭＳＢ）に提供することができる。【選択図】図１
2015208042.tif 000002
【特許請求の範囲】
【請求項１】
多入力多出力（ＭＩＭＯ）モードが設定されているかどうかに基づいて、量子化振幅比を決定するステップであって、ＭＩＭＯモードが設定されている条件で、前記決定することはチャネル品質インジケータ（ＣＱＩ）タイプに基づいている、ステップと、
前記量子化振幅比に基づいて、利得ファクターを導出するステップと
を備えることを特徴とする方法。
【請求項２】
前記量子化振幅比は、変数から変換され、タイプＡのＣＱＩに対する前記変数の値は、タイプＢのＣＱＩに対する前記変数の値より大きいことを特徴とする請求項１に記載の方法。
【請求項３】
前記量子化振幅比は、変数から変換され、前記変数は、ＭＩＭＯモードが設定されていない条件で、高位レイヤによってシグナリングされたシグナルされた値ΔＣＱＩに等しいことを特徴とする請求項１に記載の方法。
【請求項４】
前記利得ファクターを使用して、実数値化された拡散値に重み付けするステップをさらに備えることを特徴とする請求項１に記載の方法。    
【請求項５】
前記実数化された拡散値はＣＱＩビットからなり、前記量子化振幅比は変数から変換され、ＭＩＭＯモードが設定されおよび前記ＣＱＩビットがタイプＡのものである条件で、前記変数はシグナルされた値ΔＣＱＩプラス１に等しいことを特徴とする請求項４に記載の方法。
【請求項６】
前記シグナルされた値ΔＣＱＩは、高位レイヤからシグナリングされることを特徴とする請求項５に記載の方法。
【請求項７】
前記実数化された拡散値はＣＱＩビットからなり、前記量子化振幅比は変数から変換され、ＭＩＭＯモードが設定されおよび前記ＣＱＩビットがタイプＢのものである条件で、前記変数はシグナルされた値ΔＣＱＩに等しいことを特徴とする請求項４に記載の方法。
【請求項８】
前記シグナルされた値ΔＣＱＩが９に等しい条件で、前記量子化振幅比は３８／１５に変換されることを特徴とする請求項１に記載の方法。
【請求項９】
多入力多出力（ＭＩＭＯ）モードが設定されているかどうかに基づいて、量子化振幅比を決定し、ＭＩＭＯモードが設定されている条件で、チャネル品質インジケータ（ＣＱＩ）タイプに基づいて、前記量子化振幅比を決定するよう構成され、並びに、
前記量子化振幅比に基づいて、利得ファクターを導出する
よう構成されたプロセッサ
を備えたことを特徴とする無線送受信ユニット（ＷＴＲＵ）。
【請求項１０】
前記量子化振幅比は、変数から変換され、タイプＡのＣＱＩに対する前記変数の値は、タイプＢのＣＱＩに対する前記変数の値より大きいことを特徴とする請求項９に記載のＷＴＲＵ。
【請求項１１】
前記量子化振幅比は、変数から変換され、ＭＩＭＯモードが設定されていない条件で、前記変数は高位レイヤによってシグナリングされたシグナルされた値ΔＣＱＩに等しいことを特徴とする請求項９に記載のＷＴＲＵ。
【請求項１２】
前記プロセッサは、前記利得ファクターを使用して、実数値化された拡散値に重み付けするよう構成されたことを特徴とする請求項９に記載のＷＴＲＵ。
【請求項１３】
前記実数化された拡散値はＣＱＩビットからなり、前記量子化振幅比は変数から変換され、ＭＩＭＯモードが設定されおよび前記ＣＱＩビットがタイプＡのものである条件で、前記変数は、シグナルされた値ΔＣＱＩプラス１に等しいことを特徴とする請求項１２に記載のＷＴＲＵ。
【請求項１４】
前記シグナルされた値ΔＣＱＩは、高位レイヤからシグナリングされることを特徴とする請求項１３に記載のＷＴＲＵ。
【請求項１５】
前記実数化された拡散値はＣＱＩビットからなり、前記量子化振幅比は変数から変換され、ＭＩＭＯモードが設定されおよび前記ＣＱＩビットがタイプＢのものである条件で、前記変数は、シグナルされた値ΔＣＱＩに等しいことを特徴とする請求項１２に記載のＷＴＲＵ。
【請求項１６】
前記シグナルされた値ΔＣＱＩが９に等しい条件で、前記量子化振幅比は３８／１５に変換されることを特徴とする請求項９に記載のＷＴＲＵ。
【発明の詳細な説明】
【技術分野】
【０００１】
本発明は、無線通信システムに関する。
【背景技術】
【０００２】
従来の３ＧＰＰ（ｔｈｉｒｄ  ｇｅｎｅｒａｔｉｏｎ  ｐａｒｔｎｅｒｓｈｉｐ  ｐｒｏｊｅｃｔ）無線通信システムにおいて、ダウンリンクデータチャネル（すなわち、高速ダウンリンク共有チャネル（ＨＳ−ＤＳＣＨ））は、異なる拡散符号および異なる変調・符号化方式（ＭＣＳ）を使用して、異なる量のデータを運ぶことができる。ＨＳ−ＤＳＣＨを介してユーザ機器（ＵＥ）に配信することができるデータ量は、一部には、ダウンリンクチャネル品質に依存する。ＵＥは、チャネル品質インジケータ（ＣＱＩ）を使用して、ダウンリンクチャネル品質をＮｏｄｅ−Ｂに報告する。Ｎｏｄｅ−Ｂは、ＵＥによって報告されたＣＱＩに基づいて、ダウンリンク伝送をスケジュールする。
【０００３】
ＣＱＩの生成のために、ＵＥは、チャネル品質測定を行う。チャネル品質測定は、ＣＱＩ値に変換される。従来、ルックアップテーブルを使用して、１から３１の間のＣＱＩ値が生成される。このＣＱＩ値は、次いでＵＥによってアップリンクチャネルを介して送信されるＣＱＩビットに符号化される。
【０００４】
ＭＩＭＯ（Ｍｕｌｔｉｐｌｅ−ｉｎｐｕｔ  ｍｕｌｔｉｐｌｅ−ｏｕｔｐｕｔ）は、ＵＥおよびＮｏｄｅ−Ｂの両方が送信および受信において複数のアンテナを使用する方式である。ＭＩＭＯが実施されるとき、ＵＥとＮｏｄｅ−Ｂとの間に複数のデータストリームを送信することができ、ＵＥは、複数のＣＱＩ値をＮｏｄｅ−Ｂに報告する必要がある場合がある。ＵＥは、ＣＱＩに加えて、プリコーディング制御情報（ＰＣＩ）も送って、ダウンリンクのプリコーディングの選好に関して、Ｎｏｄｅ−Ｂに指示する。
【０００５】
非ＭＩＭＯモードのとき、ＵＥは、５ビットのＣＱＩをＮｏｄｅ−Ｂに送る。ＣＱＩビットは、（２０，５）符号を使用して符号化される。ＭＩＭＯモードのとき、ＵＥは、２つのタイプの情報をＮｏｄｅ−Ｂに送ることができる。タイプＡの情報は、２つのストリームのサポートのためであり、タイプＢの情報は、単一ストリームのサポートのためである。タイプＡの情報は、現在、１０の情報ビットを必要とし、２ビットはＰＣＩのためであり、８ビットはＣＱＩ値のためである（例えば、各ストリームにつき４ＣＱＩビット）。タイプＢの情報は、７つの情報ビットを必要とし、５つはＣＱＩのためであり、２つはＰＣＩのためである。異なるビットの組合せを使用することはできるが、一般に、タイプＡの情報は、タイプＢの情報より多くのビットを必要とする。タイプＡの情報およびタイプＢの情報は、ネットワークによって指示されるように、アップリンク送信で分散される。
【発明の概要】
【発明が解決しようとする課題】
【０００６】
非ＭＩＭＯモードにおけるＣＱＩビット、およびタイプＡおよびタイプＢの情報ビットは、それぞれ（２０，５）、（２０，１０）、および（２０，７）符号を使用してブロック符号化されて、複数の基底ベクトル（ｂａｓｉｓ  ｖｅｃｔｏｒ）を含む生成行列を使用して合計２０の符号化ビットとなる。最小距離６の線形（２０，１０）符号は、現在、タイプＡの情報に使用されている。表１に、タイプＡの情報を符号化するための基底シーケンス（ｂａｓｉｓ  ｓｅｑｕｅｎｃｅ）を示す。タイプＢの符号の基底シーケンスは、タイプＡの符号の基底シーケンスのサブセットである。タイプＢの情報の場合、（２０，１０）符号の最初の７つの基底シーケンスの線形結合が（２０，７）符号に使用され、その結果、この場合も最小距離が６になり、これは、（２０，７）符号の場合に求めることができる最も低いものではない。
【０００７】
【表１】
2015208042.tif 000003
【０００８】
ＣＱＩビットおよびＰＣＩビットは、巡回冗長検査（ＣＲＣ）無しにＮｏｄｅ−Ｂに送信されるため、送信されたＣＱＩビットが誤って受信される場合があり、その結果、誤ったＣＱＩビットがＮｏｄｅ−Ｂによるダウンリンクスケジューリングに使用される場合があり、これによって、システム容量の低下がもたらされる。他の復号における誤りとは異なり、ＣＱＩ復号では、誤りのサイズは重要である。１から３１に及ぶＣＱＩ値は、ＣＱＩ値にマップされ、最上位ビット（ＭＳＢ）の誤りは、ＭＳＢ以外の誤りより大きい誤りを生成するであろう。従来の符号は、任意の誤りの発生を最小化するように設計されており、必ずしも誤りの平均「サイズ」を最小にするわけではない。
【０００９】
それゆえ、誤りのサイズを最小化する符号を使用することが望ましいであろう。さらに、または代わりに、より大きい最小距離および重みを有するより良い符号は、タイプＢの情報の検出確率を向上させるであろう。
【課題を解決するための手段】
【００１０】
本発明は、ＣＱＩビットおよびＰＣＩビットを符号化するための方法および装置に関する。ＣＱＩビットおよび／またはＰＣＩビットなどの入力ビットの各々は、特定の重要性を有する。入力ビットは、線形ブロック符号化で符号化することができる。入力ビットは、各入力ビットの重要性に基づいて不均一な誤り保護が提供される。入力ビットを、各入力ビットの重要性に基づいて複製することができ、均一な保護符号化を行うことができる。符号化のための生成行列を、従来の基底シーケンスの基本オペレーションによって生成して、より多くの保護をＭＳＢに提供することができる。
【００１１】
一例として示され、添付の図面と共に理解される好ましい実施形態の以下の説明から、本発明をより詳しく理解することができる。
【発明の効果】
【００１２】
本発明により、ＣＱＩビットおよびＰＣＩビットを符号化するための方法および装置において、均一な保護符号化を行うことができる。符号化のための生成行列を、従来の基底シーケンスの基本オペレーションによって生成して、より多くの保護をＭＳＢに提供することができる。
【図面の簡単な説明】
【００１３】
【図１】本発明によるＷＴＲＵの一例を示すブロック図である。
【図２】本発明によるＮｏｄｅ−Ｂの一例を示すブロック図である。
【図３】従来の３ＧＰＰ  ＣＱＩ符号と、生成行列のまさに１ビットで変更された上記の符号との間のスループットの比較を示す図である。
【図４】本発明に従って構築された不均一誤り保護符号と、最大最小ハミング距離符号との間のＲＭＳ誤差性能の比較を示す図である。
【図５】本発明による符号化方式のシミュレーション結果を示す図である。
【図６】本発明による符号化方式のシミュレーション結果を示す図である。
【図７】本発明による符号化方式のシミュレーション結果を示す図である。
【図８】本発明による符号化方式のシミュレーション結果を示す図である。
【図９】本発明による符号化方式のシミュレーション結果を示す図である。
【図１０】本発明による符号化方式のシミュレーション結果を示す図である。
【図１１】本発明による符号化方式のシミュレーション結果を示す図である。
【図１２】本発明による符号化方式のシミュレーション結果を示す図である。
【発明を実施するための形態】
【００１４】
以下で参照するとき、「無線送受信ユニット（ＷＴＲＵ）」という用語は、それだけには限定されないが、ユーザ機器（ＵＥ）、移動局、固定または携帯の加入者ユニット、ページャ、セルラー電話、パーソナルデジタルアシスタント（ＰＤＡ）、コンピュータ、または無線環境で動作することができる他の任意のタイプのユーザデバイスを含む。以下で参照するとき、「基地局」という用語は、それだけに限定されないが、Ｎｏｄｅ−Ｂ、サイトコントローラ、アクセスポイント（ＡＰ）、または無線環境で動作することができる他の任意のタイプのインターフェイスデバイスを含む。
【００１５】
本発明は、ＣＱＩおよび／またはＰＣＩの具体的な用途を参照して説明されているが、本発明の符号化方式は、任意の情報の符号化に適用可能であることに留意されたい。また、生成行列の具体的な次元は、限定ではなく一例として与えられているにすぎず、符号の正確な提示は、ＰＣＩおよびＣＱＩのビット配置に依存することにも留意されたい。
【００１６】
図１は、本発明によるＷＴＲＵ１００の一例を示すブロック図である。ＷＴＲＵ１００は、データ生成器１０２、エンコーダ１０４、および送信機１０６を含むことができる。ＷＴＲＵ１００は、任意の従来の処理コンポーネントをさらに含んでいてもよいことに留意されたい。データ生成器１０２は、ＣＱＩ生成器１０８および／またはＰＣＩ生成器１１０を含むことができる。ＣＱＩ生成器１０８は、少なくとも１組のＣＱＩビットを生成する。ＰＣＩ生成器１１０は、ＰＣＩビットを生成する。データ生成器１０２は、ＣＱＩビットのみ、あるいは、タイプＡまたはタイプＢのＣＱＩ／ＰＣＩビットを生成する。ＣＱＩビットまたはタイプＡまたはタイプＢのＣＱＩ／ＰＣＩビットは、エンコーダ１０４によって符号化される。詳細な符号化方式については、以下で詳しく説明することにする。符号化されたＣＱＩビットまたはＣＱＩ／ＰＣＩビットは、送信機１０６によって送信される。
【００１７】
図２は、本発明によるＮｏｄｅ−Ｂ２００の一例を示すブロック図である。Ｎｏｄｅ−Ｂ２００は、受信機２０２、デコーダ２０４、およびスケジューラ２０６を含むことができる。Ｎｏｄｅ−Ｂ２００は、任意の従来の処理コンポーネントをさらに含んでいてもよいことに留意されたい。受信機２０２は、符号化されたＣＱＩビットまたはＣＱＩ／ＰＣＩビットをＷＴＲＵ１００から受信する。デコーダ２０４は、符号化されたＣＱＩまたはＣＱＩ／ＰＣＩビットを復号して、ＣＱＩビットおよび／またはＰＣＩビットを回復する。回復されたＣＱＩビットおよび／またはＰＣＩビットは、ＷＴＲＵ１００への次の送信をスケジュールするために、スケジューラ２０６によって使用される。
【００１８】
一実施形態によれば、入力ビットの誤り保護は、ＭＳＢに最大の誤り保護が提供され、最下位ビット（ＬＳＢ）に最小の保護が提供されるように、ビットのそれぞれの重要性に従って与えられる。入力ビットは、ビットベクトルと考えることができる。例えば、ＣＱＩ値の範囲は、１から３１であり、ＣＱＩ値は、５ビットベクトル、ｂ＝［ｂ0，．．．，ｂ4］に変換され、ここで、ｂ0がＭＳＢ、ｂ4がＬＳＢである。ＭＳＢおよびＬＳＢの位置は、逆でもよいことに留意されたい。線形ブロック符号化は、ｎ×ｋ生成行列によって記述することができ、ここで、ｋは、入力ビットの数（例えば、５個のＣＱＩビット、８個のＣＱＩビットおよび２個のＰＣＩビット、または５個のＣＱＩビットおよび２個のＰＣＩビットなど）、ｎは、出力ビットの数（例えば２０ビット）である。ｋ個の入力ビットは生成行列により乗算されて、以下のｎビットの符号語が生成される。
【００１９】
ｃ＝ｍＧ    式（１）
式中、ｃは出力符号語、ｍは入力ベクトル、Ｇは生成行列である。
【００２０】
出力ビット（ｃの要素）の各１つは、ｍ内のビットのサブセットに関するパリティ検査と考えることができる。どのビットがパリティ検査の各１つに「関与」するかは、Ｇによって決定される。特定のビットが関与するパリティ検査が多いほど、それからより多くの冗長性が生成され、よりよく保護されることになる。
【００２１】
入力ビットは、保護の必要性の降順または昇順に順序付けられる。ｋ個の正の整数のリストｍ0，．．．ｍk-1が、以下のように生成される。
【００２２】
ｎ≧ｍ0≧・・・≧ｍk-1≧１  式（２）
次いで、生成行列Ｇは、次のように生成される。ｂiに対応するＧの行（すなわち行ｉ＋１）は、ｍi１で充当され、エントリの残りは、０である。したがって、入力ビットは、次第に少なくなるパリティ検査に関与し、それゆえ、次第に少なくなる誤り保護を受ける。
【００２３】
この方法は、システム性能にとって取るに足らないかなり小さい誤りの確率を犠牲にして、大きい誤りの確率を減らす。これによって、符号の設計がかなり自由になり、１の具体的な配置に応じて、ある符号が良くなったり、悪くなったりする。特に、行列Ｇは、完全な列の階数（ｆｕｌｌ  ｒｏｗ−ｒａｎｋ）のままとすべきである。好ましくは、行の任意の非ゼロの線形結合における１の最小数を最小化すべきである。擬似ランダム符号設計は、特に、ブロック長が増すにつれて、良い符号をもたらすことになりそうである。長さが非常に長い場合、こうした符号は、非正規低密度パリティ検査（ｉｒｒｅｇｕｌａｒ  ｌｏｗ  ｄｅｎｓｉｔｙ  ｐａｒｉｔｙ  ｃｈｅｃｋ：ＬＤＰＣ）符号のサブファミリである。従来のＣＱＩ構成の２つの代替的な５×２０生成行列の例が以下に示されている（この例では、入力ベクトルにおけるＭＳＢは、一番左のビットであり、ＬＳＢは、一番右のビットである）。
【００２４】
【表２】
2015208042.tif 000004
【００２５】
【表３】
2015208042.tif 000005
【００２６】
ＷＴＲＵ１００は、単一ストリームまたは２つ以上のＭＩＭＯストリームに関する２つ以上のＣＱＩ値を送信する必要がある場合がある。こうした場合、ＷＴＲＵ１００は、複数のＣＱＩ値を生成し、ＣＱＩ値をＣＱＩビットの複数のシーケンスにマップする。例えば、ＷＴＲＵ１００は、単一ストリームの場合には１つのＣＱＩ、２つのストリームの場合には２つのＣＱＩを含む３つのＣＱＩを生成することができる。ＣＱＩビットのうちの１つ（例えば、単一ストリームのＣＱＩビット）は、一次シーケンス（Ｐ）として記され、他は、二次シーケンス（例えばＳ’１、Ｓ’２など）として記される。次いで、一次および二次シーケンスは、上記の符号化方式による符号化のために連結される（すなわち、エンコーダ１０４への入力は、ｍ＝［Ｐ  Ｓ’１  Ｓ’２］と定義される）。あるいは、一次シーケンスおよび二次シーケンスを結合し（例えば、Ｓ１＝Ｓ’１−ＰおよびＳ２＝Ｓ’２−Ｐ）、エンコーダ１０４に入力されるように連結してもよい（例えば、ｍ＝［Ｐ  ＳＩ  Ｓ２］）。いずれにせよ、生成行列における行は、ｍのビットの重みは指数的ではなくなったが、その成分の重みは指数的であるということを反映しなければならない。
【００２７】
あるいは、入力ビットを、不均等に複製し、次いで、Ｒｅｅｄ−Ｍｕｌｌｅｒ（ＲＭ）符号など均一な保護の符号を使用して符号化してもよい。
【００２８】
ＣＱＩビットは、確認応答情報と連結されてもよい。３ＧＰＰ周波数分割複信（ＦＤＤ）リリース６標準では、高速アップリンク制御チャネル（ＨＳ−ＤＰＣＣＨ）は、最初の２つのタイムスロットがＣＱＩ情報を運び、３番目のタイムスロットが確認応答情報（すなわち、肯定応答（ＡＣＫ）または否定応答（ＮＡＣＫ））を運ぶように構築される。ＷＴＲＵ１００は、通常、受信されたデータブロックのＣＲＣ検査前のチャネル推定に基づいてＣＱＩ値を生成するため、ＷＴＲＵ１００は、最初にＣＱＩを送信し、次いでＡＣＫ／ＮＡＣＫを送信することができ、それゆえリンクアダプテーションにおける待ち時間を減らすことができる。不均一な誤り保護の符号化方式を使用しながらこの利点を保つために、ＣＱＩビットおよび確認応答ビットは、次の通り、連結され、符号化される。
【００２９】
ｃ＝ｍＧ＝［ｍCQI  ｍAck］Ｇ  式（３）
式中、ｍCQIはＣＱＩビット、ｍAckは家訓応答情報、Ｇは生成行列である。例えば、ｍCQIは１×５行ベクトル、ｍAckは単一ストリームについて１ビット（一般に、ｍ個のストリームでは１×ｍ行ベクトル）、Ｇは、６×３０行列であり、最後の行における最初の２０個の要素が０である。
【００３０】
この実施形態は、次の通り、異なる送信時間を必要とする複数の符号の組を符号化するように拡張することができる。
【００３１】
【数１】
2015208042.tif 000006
【００３２】
別の実施形態によれば、従来の３ＧＰＰのタイプＡまたはタイプＢの符号は、生成行列における１つまたは複数のビットを移動することによって変更されて、性能を向上させる。表２に、このようにして生成された新しい（２０，５）符号の基底シーケンスを示す。この符号は、非ＭＩＭＯモードの従来の３ＧＰＰ（２０，５）符号に基づいている。表２において、５列目は、ＭＳＢに対応し、４列目は、次のＭＳＢに対応する。５列目、２０行目のビット「１」が「０」に変更され、４列目、２０行目のビット「０」が「１」に変更されて、ＭＳＢの保護を犠牲にして、次のＭＳＢにより多くの保護を与える。
【００３３】
【表４】
2015208042.tif 000007
【００３４】
図３は、従来の３ＧＰＰ  ＣＱＩ符号と表２の符号との間のスループットの比較を示す。図３は、新しい符号による性能の向上を示す。
【００３５】
表２における生成行列、またはその変形は、所望の符号よりいくぶん小さいサイズの最大最小ハミング距離符号（ｍａｘｉｍｕｍ  ｍｉｎｉｍｕｍ  Ｈａｍｍｉｎｇ  ｄｉｓｔａｎｃｅ  ｃｏｄｅ）で開始することによって生成することができる。例えば、（２０，５）符号が望まれる場合、サイズ（１７，５）の最大最小ハミング距離符号（すなわち、５×１７生成行列）が最初に見つけられる。５×１７生成行列が見つけられると、ゼロの５×３行列Ｚを５×１７生成行列に追加することによって、生成行列のサイズが拡大される。次いで、Ｚ行列のｐ行目におけるゼロの一部またはすべてが「１」に設定され、ここでｐは、符号化されるデータにおけるＭＳＢの位置に対応する。これによって、ＭＳＢ＝１の符号語と、ＭＳＢ＝０の符号語との間の距離が大きくなる（すなわち、ＭＳＢに対する保護が大きい）。ｐ行目のすべての要素が「１」に設定されない場合、ｐ行目において「１」に設定されていない列のｑ行目の要素が「１」に設定され、ここで、ｑは、符号化されるデータにおける次のＭＳＢの位置に対応する。このように、より重要なビットがよりよく保護される。しかし、このことは、より小さい（ｎ，ｋ）符号によって最小距離を設定するという代償になる。
【００３６】
以下に、同様の方法で生成された（２０，８）不均一誤り保護符号の生成行列例３を示す。生成行列例３は、（１７，８）最大最小ハミング距離符号から生成される。一番右の８×３の部分行列が８×１７の行列に追加される。この例では、１行目は、ＭＳＢに対応し、２行目は、次のＭＳＢに対応する。次のＭＳＢのより良い保護のために、１行目、および２行目、最後の列の要素を除いて、部分行列のすべての要素はゼロである。
【００３７】
【表５】
2015208042.tif 000008
【００３８】
図４は、本実施形態によって構築された不均一誤り保護符号と、最大最小ハミング距離符号との間のＲＭＳ誤差性能の比較を示す。ＲＭＳ誤差は、対象の領域において最大最小ハミング距離符号より、本実施形態による不均一誤り保護符号の方が良い。
【００３９】
現在の３ＧＰＰ標準において、タイプＡの情報は、（２０，１０）符号で符号化され、タイプＢの情報は、タイプＡの情報の（２０，１０）符号のサブセット符号である（２０，７）符号で符号化される。サブセット符号とは、（２０，７）符号の基底ベクトルが（２０，１０）符号の基底ベクトルのサブセットである場合を指す。
【００４０】
一実施形態によれば、タイプＢの情報には非サブセットの線形（２０，７）符号が使用され、タイプＡの情報には従来のタイプＡの情報符号化（現在の３ＧＰＰ標準で指定された（２０，１０）符号化）が使用される。非サブセット（２０，７）符号は、１（または複数）のビット反転を有する従来の（２０，１０）符号のサブセット（２０，７）符号とすることができる。（２０，７）符号の最小距離は、８である。非サブセット（２０，７）符号は、符号の重み分布が非最適であり、符号が、ＣＱＩ値のＭＳＢへのより良い保護を提供するように生成される。以下に、本実施形態の生成行列例４を示す（この例では、入力ベクトルにおけるＭＳＢは、一番右のビットであり、ＬＳＢは、一番左のビットである）。
【００４１】
【表６】
2015208042.tif 000009
【００４２】
ＣＱＩビットのＭＳＢのより良い保護は、わずかに高い誤りの確率を犠牲にして、Ｎｏｄｅ−ＢにおけるＣＱＩの大きさの大きい誤りの確率を低減する。ＰＣＩの誤りおよび小さいＣＱＩの誤りの両方がシステム性能に与える影響は小さいが、大きいＣＱＩの誤りは、かなりの影響を与える。それゆえ、ＣＱＩビットのＭＳＢに提供されるより良い誤り保護は、有利である。
【００４３】
別の実施形態によれば、最小距離８を有する非サブセット（２０，７）線形符号が使用され、タイプＢの情報に均一な誤り保護が提供され、従来のタイプＡの情報符号化（現在の３ＧＰＰ標準で指定された（２０，１０）符号化）がタイプＡの情報に使用される。この非サブセット（２０，７）符号を生成する１つの方法は、より小さい良い符号で開始し、拡張を捜すことである。以下に、本実施形態の生成行列例５を示す（この例では、入力ベクトルにおけるＭＳＢは、一番右のビットであり、ＬＳＢは、一番左のビットである）。
【００４４】
【表７】
2015208042.tif 000010
【００４５】
別の実施形態によれば、ＣＱＩおよびＰＣＩがそれぞれ４ビットおよび２ビットを使用する場合、ほぼ均一の誤り保護がタイプＢの情報符号化に使用され、従来のタイプＡの情報符号化がタイプＡの情報に使用される。以下に、本実施形態の（２０，６）生成行列例６を示す（この例では、入力ベクトルにおけるＭＳＢは、一番右のビットであり、ＬＳＢは、一番左のビットである）。
【００４６】
【表８】
2015208042.tif 000011
【００４７】
別の実施形態によれば、タイプＢの入力ビットは、符号化の前に、不均等に複製される。ＣＱＩ  ＭＳＢのうちの１つまたは複数、および／またはＰＣＩビットのうちの一部もしくはすべてが強調されて、タイプＡの情報符号化に使用される（２０，１０）エンコーダへの１０ビットの入力を作成するこの方式には、多くのバリエーションがある。例えば、タイプＢのＣＱＩのＭＳＢを、３回繰り返すことができる。これは、依然として、（２０，１０）符号の生成行列の基底ベクトルの線形結合から構築することができる生成行列による（２０，７）符号であることに留意されたい。
【００４８】
別の実施形態によれば、タイプＡおよびタイプＢの符号の両方は、従来の符号から変更され、タイプＢの符号は、タイプＡの符号の最初の７列から成るサブセット符号である。新しいタイプＡの生成行列が従来の（２０，１０）生成行列から基本列オペレーションを使用することによって作成される（例えば、別の列を加えることによって、ある列が変更される）。これらのオペレーションが、元の符号の一部でもない符号語を導かないことは、よく知られている。しかし、これらは、より良いタイプＢのサブセット符号を構築することを可能にする。
【００４９】
適切なタイプＢの符号は、その分離ベクトルによって判定することができる。線形（ｎ，ｋ）二進符号Ｃの場合、Ｃの生成行列Ｇに関する長さｋの分離ベクトル（ＳＶ）ｓ（Ｇ）＝（ｓ（Ｇ）1，．．．，ｓ（Ｇ）k）は、以下によって定義される。
【００５０】
ｓ（Ｇ）i＝ｍｉｎ｛ｗｔ（ｍＧ）｜ｍ∈ＧＦ（２）k，ｍi≠０｝，ｉ＝１，．．．，ｋ  式（５）
【００５１】
ＳＶのある要素の値が、一般に符号の最小距離特性に似た、対応する情報ビットに与えられる保護に対応することは、一般に理解されている。したがって、ほぼ均一の誤り保護符号の場合、分離ベクトルのすべての要素は等しい。不均一な要素値の符号を見つけることによって、いくつかの所望の情報ビットをよりよく保護することが可能である。具体的には、ＣＱＩビットのＭＳＢについて、ｍｉｎi（ｓ（Ｇ）i）≧６のより大きい要素を有する符号が見つけられた場合、この符号は、タイプＡの符号の特性を変更することのない、従来のタイプＢの符号化より優れたものである。
【００５２】
例えば、この符号は、以下のオペレーションによって得ることができる。
【００５３】
１）５列目の基底シーケンスは、列５および列８のＸＯＲオペレーションによって置き換えられる。
【００５４】
２）６列目の基底シーケンスは、列６および列９のＸＯＲオペレーションによって置き換えられる。
【００５５】
３）７列目の基底シーケンスは、列７および列１０のＸＯＲオペレーションによって置き換えられる。
【００５６】
以下に、ｓ（Ｇｌ）＝（７，６，６，６，７，７，７）の分離ベクトルで、このようにして得られた（転置型）生成行列を示す。
【００５７】
【表９】
2015208042.tif 000012
【００５８】
さらなる符号化の例は、上記の符号の置換によって、またはより小さい符号で開始し、最適な拡張を捜すことによって得ることができる。以下に、さらなる生成行列例を示す。
【００５９】
【表１０】
2015208042.tif 000013
【００６０】
【表１１】
2015208042.tif 000014
【００６１】
【表１２】
2015208042.tif 000015
【００６２】
【表１３】
2015208042.tif 000016
【００６３】
【表１４】
2015208042.tif 000017
【００６４】
【表１５】
2015208042.tif 000018
【００６５】
【表１６】
2015208042.tif 000019
【００６６】
さらなるサブセット符号化例を、以下の仕方で作成することができる。まず、「最も良い」タイプＡの符号が特定される。例えば、（２０，１０）符号の場合、最小距離６を有する１，６８２個の非等価の最大最小距離線形二進（２０，１０，６）符号があることが知られている。最大（ｎ，ｋ）最小距離符号は、すべてのペアの符号語の間の理論上の最大最小距離を達成する符号である。これらの符号のうち、最低ブロック誤り率（ＢＬＥＲ）を有する符号が見つけられる。ＢＬＥＲは、その重み分布から算出することができる。（２０，１０）符号の場合、最新技術における最も良い符号は、最小距離が６であり、余裕で最も少ない数の最小距離の符号語（４０）を有しているので、一意であり容易に特定される。良いサブセット符号を探すとき、サブセット符号を引き出すために、すべてが最新技術における符号に等しい、（２０，１０，６，４０）符号を調査するだけでよい。
【００６７】
次いで、これらの符号からサブセット符号が検索される。（ｎ，ｋ）符号をとり、任意のシーケンスの基本オペレーションを適用することによって、その符号語が、（ｎ，ｋ）符号の元の符号語と同じもの（符号が等しくなる）、またはこれらの符号語のより小さいサブセットである他の符号が作成される。符号語のより小さいサブセットを有する符号は、退化しており、調査の価値がない。その他は、サブセット符号の作成に使用されるべき有力候補である。
【００６８】
（ｎ，ｋ）タイプＡの符号の場合、基本オペレーションのすべてのシーケンスは、生成行列に対する１および０の事前乗算する（ｐｒｅ−ｍｕｌｔｉｐｌｅｘｉｎｇ）ｋ×ｋ行列として表すことができる。事前乗算する行列は、変換行列（ｔｒａｎｓｌａｔｉｏｎ  ｍａｔｒｉｘ）と呼ばれる（例えば、１０×１０、あるいは７×１０）。変換行列は、決定論的に、または無作為に生成することができる。これらのサブセット符号の各々は、次いで、最大最小距離を達成する、最小重さの符号語の数を数える、分離ベクトルの算出など、良い特性について検査される。
【００６９】
すべての（２０，１０）符号化例では、異なる符号化特性をもたらし得る多くのビットマッピングの可能性がある。例えば、ｐｃｉ０、ｐｃｉ１、ｃｑｉｌ＿０、ｃｑｉ１＿１、ｃｑｉ１＿２、ｃｑｉ１＿３、ｃｑｉ２＿０、ｃｑｉ２＿１、ｃｑｉ２＿２、ｃｑｉ２＿３として各マップされた４ビットの２つのＣＱＩ値があることがあり、ここで、ｃｑｉｌ＿３およびｃｑｉ２＿３がＭＳＢである。このシーケンスは、生成行列の行１：１０にマップされる。あるいは、このシーケンスは、生成行列の行１０：１に逆の順序でマップされてもよい。
【００７０】
あるいは、２つの４ビットＣＱＩ値を、単一の８ビットＣＱＩ合成物（ＣＱＩＣ）に結合することができる。例えば、２つのストリームについてＣＱＩＣ＝｛１５＊ＣＱＩ１＋ＣＱＩ２＋３１｝、１つのストリームについて｛ＳｉｎｇｌｅＣＱＩ｝であることが提案されている。ＣＱＩ１およびＣＱＩ２は、それぞれ１５の可能な値を有し、ＳｉｎｇｌｅＣＱＩは、３０の可能な値を有する。次いで、ｃｑｉｃ７、ｃｑｉｃ６、ｃｑｉｃ５、ｃｑｉｃ４、ｃｑｉｃ３、ｃｑｉｃ２、ｃｑｉｃ１、ｐｃｉ１、ｐｃｉ０、ｃｑｉｃ０は、生成行列の行１：１０に、あるいは逆の順序で１０：１に適用することができる。タイプＢの（２０，７）符号化の場合、ｃｑｉ４、ｃｑｉ３、ｃｑｉ２、ｃｑｉ１、ｃｑｉ０、ｐｃｉ１、ｐｃｉ０は、行１：７に、あるいは逆の順序で７：１にマップすることができる。以下に、このようにして取得された生成行列例１５を示す。
【００７１】
【表１７】
2015208042.tif 000020
【００７２】
タイプＢのＰＣＩ／ＣＱＩ情報符号化は、異なる符号化率および符号化利得のために、より低い送信電力要件をもたらす。こうしたより低い送信電力は、平均アップリンク干渉を低下させるので、望ましい。タイプＡの電力レベルは、現在、ネットワークによって、アップリンク基準チャネルの倍数として判定される（すなわち、専用物理制御チャネル（ＤＰＣＣＨ））。本発明によれば、タイプＡおよびタイプＢの情報に異なる送信電力が使用される。タイプＡおよびタイプＢの電力は両方とも、別のチャネルの電力で独立に定義することができる（すなわち、電力乗数またはｄＢ単位の加算として）。乗数または加算は、ネットワークによって提供される。基準チャネルは、ダウンリンクチャネルまたはアップリンクチャネルとすることができる。ダウンリンク基準チャネルは、共通パイロットチャネル（ＣＰＩＣＨ）、プライマリ共通制御物理チャネル（Ｐ−ＣＣＰＣＨ）、同期チャネル（ＳＣＨ）、高速共有制御チャネル（ＨＳ−ＳＣＣＨ）、または他の任意のチャネルとすることができる。これらのいくつかの電力は、それ自体、他のチャネルの電力で定義することができる。アップリンク基準チャネルは、ＤＰＣＣＨ、強化アップリンクＤＰＣＣＨ（Ｅ−ＤＰＣＣＨ）、ランダムアクセスチャネル（ＲＡＣＨ）（ＡＣＫ／ＮＡＣＫ後）または他の任意のチャネルとすることができる。これらのいくつかの電力は、それ自体、他のチャネルの電力で定義することができる。
【００７３】
従来、ＣＱＩビットがチップレートに拡散された後、実数値の拡散信号は、利得ファクターによって重み付けされる。ＨＳ−ＤＰＣＣＨ上のＣＱＩビットの利得ファクターβhsは、量子化振幅比（ｑｕａｎｔｉｚｅｄ  ａｍｐｌｉｔｕｄｅ  ｒａｔｉｏ）（Ａhs＝βhs／βc）から導出され、これは、より上位の層によってシグナルされたΔCQIから変換される。βcは、ＤＰＣＣＨの利得ファクターである。表３に、本発明によるΔCQIの量子化振幅比Ａhsへの変換を示す。
【００７４】
【表１８】
2015208042.tif 000021
【００７５】
ＣＱＩビットを運ぶＨＳ−ＤＰＣＣＨスロットについて、ＷＴＲＵがＭＩＭＯモードで構成されていない場合、Ａhsは、シグナルされた値ΔCQIから変換された量子化振幅比に等しい。ＷＴＲＵがＭＩＭＯモードで構成されている場合、Ａhsは、タイプＢのＣＱＩが送信されたとき、シグナルされた値ΔCQIから変換された量子化振幅比に等しく、Ａhsは、タイプＡのＣＱＩが送信されたとき、信号で送られた値ΔCQI＋１から変換された量子化振幅比に等しい。
【００７６】
あるいは、タイプＡまたはタイプＢの電力の一方が上述したように定義されると、もう一方のタイプの送信電力を、ネットワークで提供された乗数またはｄＢ加算として判定したり、事前に定義された式に基づいて定義されたものから算出したりすることができる。例えば、タイプＢの電力は、ルックアップテーブル（ＬＵＴA）を使用して、ＷＴＲＵによって算出することができる。従来、ＬＵＴAは、ネットワークによってシグナルされたインデックスΔCQIからタイプＡの電力を算出するために使用される。ΔCQIが与えられると、タイプＢの電力は、関数ＰB＝ＬＵＴB（ΔCQI）を実装する別個のルックアップテーブルＬＵＴBを使用して算出することができる。表４に、ＬＵＴBの一例を示す。
【００７７】
【表１９】
2015208042.tif 000022
【００７８】
あるいは、ΔCQIに関して作用する関数ｇを使用して、ＬＵＴAへの入力を作成することができ、こうしてタイプＡに使用される同じ組の電力レベルを保持する。このオペレーションは、ＰB＝ＬＵＴA（ｇ（ΔCQI））と記述することができる。関数ｇは、それ自体、ルックアップテーブルとして実装することができる。例えば、ｇ（ΔCQI）＝ｍａｘｉｍｕｍ（０，ｇ（ΔCQI）−１）となる。
【００７９】
図５は、生成行列例４を使用した個々のビット誤り率を示す。これは、ＣＱＩビットのＭＳＢ（ｃｑｉ４）が、ＰＣＩ／ＣＱＩビットの残りより約０．６ｄＢ良いことを示す。参考として、従来の符号化方式のビット誤り率（「［１］でのｐｃｉｃｑｉ」とラベルされている）も示す。生成行列例４を使用したＢＥＲ測定は、従来の符号化方式より約０．８ｄＢ良い。図６は、従来のタイプＢの７ビットＰＣＩ／ＣＱＩ、および第４の生成行列例を使用した符号化のブロック誤り率（ＢＬＥＲ）を示す。１％のＢＬＥＲで、符号化利得において約０．８ｄＢの差がある。図７は、従来のタイプＡの１０ビットＰＣＩ／ＣＱＩ、従来のタイプＢの７ビットＰＣＩ／ＣＱＩ、および第４の生成行列例を使用した符号化についてのＢＬＥＲ対符号化ビット信号対雑音比（ＳＮＲ）を示す。タイプＡとタイプＢの報告フォーマット間の比較について、タイプＡのＰＣＩ／ＣＱＩフォーマットの１％のＢＬＥＲで必要な電力は、タイプＢの生成行列例８を使用したものより約１．５ｄＢ高い。図８は、２つのタイプＢの符号化方式におけるＣＱＩ平均平方誤差（ＭＳＥ）測定のプロットである。同じ量のＭＳＥ誤差の場合、必要なＳＮＲで約１ｄＢを超える。
【００８０】
図９〜１２は、従来の符号化と、第５および／または第７の生成行列例を使用した符号化との性能の比較を示す。図９〜１２において、「［１］」は、タイプＢの先行技術を参照し、「最適なＥＥＰ」は、第５の生成行列例を使用した場合を表し、「Ｇ１」は、第７の生成行列例を使用した場合を表すことに留意されたい。図９は、タイプＡの行列変換がタイプＡの符号のＢＬＥＲを変更しないことを示す。図１０は、先行技術のタイプＢの符号、第５の生成行列例を使用した場合、および第７の生成行列例を使用した場合についてのＰＣＩ  ＢＬＥＲの比較を示す。図１１は、先行技術のタイプＢの符号、第５の生成行列例を使用した場合、および第７の生成行列例を使用した場合についてのＣＱＩ  ＢＬＥＲのグラフでの比較を示す。図１２は、先行技術のタイプＢの符号化、第５の生成行列例を使用した場合、および第７の生成行列例を使用した場合についてのＣＱＩ標準偏差（二乗平均平方根誤差（ＲＭＳＥ）として算出）の比較を示す。図９〜１２でわかるように、第５および第７の生成行列例の両方は、先行技術よりよく働く。
【００８１】
実施形態
【００８２】
１．情報ビットを符号化するための方法。
【００８３】
２．各入力ビットが特定の重要性を有する入力ビットを生成することを備える実施形態１に記載の方法。
【００８４】
３．入力ビットに関して線形ブロック符号化を行って、出力符号語を生成することであって、入力ビットは、各入力ビットの重要性に基づいて特定のレベルの誤り保護が提供されることを備える実施形態２に記載の方法。
【００８５】
４．出力符号語を送ることを備える実施形態３に記載の方法。
【００８６】
５．入力ビットは、ＣＱＩビットである実施形態２〜４のいずれかに記載の方法。
【００８７】
６．複数組のＣＱＩビットを生成することであって、複数組のＣＱＩビットのうちの１つは一次ＣＱＩビットと記され、ＣＱＩビットの残りの組は二次ＣＱＩビットと記されることをさらに備える実施形態５に記載の方法。
【００８８】
７．一次ＣＱＩビットおよび二次ＣＱＩビットを、符号化のための入力ビットとして連結することを備える実施形態６に記載の方法。
【００８９】
８．複数組のＣＱＩビットを生成することであって、複数組のＣＱＩビットのうちの１つは一次ＣＱＩビットと記され、ＣＱＩビットの残りの組は二次ＣＱＩビットと記されることをさらに備える実施形態５に記載の方法。
【００９０】
９．二次ＣＱＩビットを一次ＣＱＩビットと結合する実施形態８に記載の方法。
【００９１】
１０．一次ＣＱＩビットおよび結合された二次ＣＱＩビットを、符号化のための入力ビットとして連結することを備える実施形態９に記載の方法。
【００９２】
１１．入力ビットは、５ビットであり、生成行列は、以下の（２０，５）符号化のためのものである実施形態２〜１０のいずれかに記載の方法。
【００９３】
【表２０】
2015208042.tif 000023
【００９４】
１２．入力ビットは、５ビットであり、生成行列は、以下の（２０，５）符号化のためのものである実施形態２〜１０のいずれかに記載の方法。
【００９５】
【表２１】
2015208042.tif 000024
【００９６】
１３．入力ビットは、連結される少なくとも１組のＣＱＩビットおよび少なくとも１組のＰＣＩビットを含む実施形態２〜４のいずれかに記載の方法。
【００９７】
１４．少なくとも１つの入力ビットは、符号化を行う前に、入力ビットの重要性に応じて複製される実施形態２〜１３のいずれかに記載の方法。
【００９８】
１５．入力ビットは、連結され、異なるタイミングで送信される必要がある少なくとも２つの異なる情報ビットである実施形態２〜１４のいずれかに記載の方法。
【００９９】
１６．入力ビットは、ＣＱＩビットおよび確認応答ビットである実施形態１５に記載の方法。
【０１００】
１７．各入力ビットが特定の重要性を有するｋ個の入力ビットを生成することを備える実施形態１に記載の方法。
【０１０１】
１８．ｋ×ｎ生成行列を使用して入力ビットを符号化して、出力符号語を生成することであって、生成行列がｋ×ｍ最大最小ハミング距離符号の部分行列と、最上位ビット（ＭＳＢ）および次のＭＳＢに対応する少なくとも１つの要素が「１」に設定される以外はすべて「０」であるｋ×（ｎ−ｍ）部分行列とを備えることを備える実施形態１７に記載の方法。
【０１０２】
１９．出力符号語を送ることを備える実施形態１８に記載の方法。
【０１０３】
２０．入力ビットは、５ビットであり、生成行列は、以下の（２０，５）符号化のためのものである実施形態１８〜１９のいずれかに記載の方法。
【０１０４】
【表２２】
2015208042.tif 000025
【０１０５】
２１．入力ビットは、８ビットであり、生成行列は、以下の（２０，８）符号化のためのものである実施形態１８〜１９のいずれかに記載の方法。
【０１０６】
【表２３】
2015208042.tif 000026
【０１０７】
２２．各入力ビットが特定の重要性を有する入力ビットを生成することを備える実施形態１に記載の方法。
【０１０８】
２３．入力ビットの各々を複製することであって、各入力ビットの複製の数は各入力ビットの重要性に依存することを備える実施形態２２に記載の方法。
【０１０９】
２４．均一保護符号を使用して複製された入力ビットに線形ブロック符号化を行って、出力符号語を生成することを備える実施形態２３に記載の方法。
【０１１０】
２５．出力符号語を送ることを備える実施形態２４に記載の方法。
【０１１１】
２６．均一保護符号は、Ｒｅｅｄ−Ｍｕｌｌｅｒ符号である実施形態２４〜２５のいずれかに記載の方法。
【０１１２】
２７．タイプＢの情報ビットを符号化するための方法。
【０１１３】
２８．ＣＱＩビットおよびＰＣＩビットを含むタイプＢの情報ビットを生成することを備える実施形態２７に記載の方法。
【０１１４】
２９．（２０，７）符号を使用してタイプＢの情報ビットを符号化して、出力符号語を生成することであって、（２０，７）符号の最小距離は８であり、（２０，７）符号の重み分布は非最適であり、（２０，７）符号はＣＱＩビットの最上位ビット（ＭＳＢ）により良い保護を提供することを備える実施形態２８に記載の方法。
【０１１５】
３０．出力符号語を送ることを備える実施形態２９に記載の方法。
【０１１６】
３１．（２０，７）符号は、タイプＡの情報ビットの（２０，１０）符号の非サブセット符号である実施形態２９〜３０のいずれかに記載の方法。
【０１１７】
３２．（２０，７）符号は、１ビット反転を有するタイプＡの情報ビットの（２０，１０）符号のサブセット符号である実施形態２９〜３０のいずれかに記載の方法。
【０１１８】
３３．（２０，７）符号の生成行列は、以下の通りである実施形態２９〜３０のいずれかに記載の方法。
【０１１９】
【表２４】
2015208042.tif 000027
【０１２０】
３４．ＣＱＩビットおよびＰＣＩビットを含むタイプＢの情報ビットを生成することを備える実施形態２７に記載の方法。
【０１２１】
３５．（２０，７）符号を使用してタイプＢの情報ビットを符号化して、出力符号語を生成することであって、（２０，７）符号の最小距離は８であり、（２０，７）符号はタイプＢの情報ビットに均一保護を提供することを備える実施形態３４に記載の方法。
【０１２２】
３６．出力符号語を送ることを備える実施形態３５に記載の方法。
【０１２３】
３７．（２０，７）符号の生成行列は、以下の通りである実施形態３５〜３６のいずれかに記載の方法。
【０１２４】
【表２５】
2015208042.tif 000028
【０１２５】
３８．ＣＱＩビットおよびＰＣＩビットを含むタイプＢの情報ビットを生成することを備える実施形態２７に記載の方法。
【０１２６】
３９．（２０，６）符号を使用してタイプＢの情報ビットを符号化して、出力符号語を生成することであって、（２０，６）符号はタイプＢの情報ビットにほぼ均一の保護を提供することを備える実施形態３８に記載の方法。
【０１２７】
４０．出力符号語を送ることを備える実施形態３９に記載の方法。
【０１２８】
４１．（２０，６）符号の生成行列は、以下の通りである実施形態３９〜４０のいずれかに記載の方法。
【０１２９】
【表２６】
2015208042.tif 000029
【０１３０】
４２．ＣＱＩビットおよびＰＣＩビットを含むタイプＢの情報ビットを生成することであって、各タイプＢの情報ビットは特定の重要性を有することを備える実施形態２７に記載の方法。
【０１３１】
４３．複製されたタイプＢの情報ビットの重要性に基づいて、少なくとも１つのタイプＢの情報ビットを複製することを備える実施形態４２に記載の方法。
【０１３２】
４４．タイプＢの情報ビットを符号化して、出力符号語を生成することを備える実施形態４３に記載の方法。
【０１３３】
４５．出力符号語を送ることを備える実施形態４４に記載の方法。
【０１３４】
４６．タイプＡおよびタイプＢの情報ビットを符号化するための方法。
【０１３５】
４７．タイプＡおよびタイプＢの情報ビットを生成することであって、タイプＡの情報ビットは８つのＣＱＩビットおよび２つのＰＣＩビットを含み、タイプＢの情報ビットは５つのＣＱＩビットおよび２つのＰＣＩビットを含むことを備える実施形態４６に記載の方法。
【０１３６】
４８．（２０，１０）符号を使用してタイプＡの情報ビットを符号化し、（２０，７）符号を使用してタイプＢの情報ビットを符号化して、出力符号語を生成することであって、（２０，７）符号は（２０，１０）符号のサブセット符号であり、（２０，１０）符号は以下の基底シーケンスに基本列オペレーションを行うことによって生成されることを備える実施形態４７に記載の方法。
【０１３７】
【表２７】
2015208042.tif 000030
【０１３８】
４９．符号語を送ることを備える実施形態４８に記載の方法。
【０１３９】
５０．（２０，１０）符号の生成行列は、以下の通りである実施形態４８〜４９のいずれかに記載の方法。
【０１４０】
【表２８】
2015208042.tif 000031
【０１４１】
５１．（２０，１０）符号の生成行列は、以下の通りである実施形態４８〜４９のいずれかに記載の方法。
【０１４２】
【表２９】
2015208042.tif 000032
【０１４３】
５２．（２０，１０）符号の生成行列は、以下の通りである実施形態４８〜４９のいずれかに記載の方法。
【０１４４】
【表３０】
2015208042.tif 000033
【０１４５】
５３．（２０，１０）符号の生成行列は、以下の通りである実施形態４８〜４９のいずれかに記載の方法。
【０１４６】
【表３１】
2015208042.tif 000034
【０１４７】
５４．（２０，１０）符号の生成行列は、以下の通りである実施形態４８〜４９のいずれかに記載の方法。
【０１４８】
【表３２】
2015208042.tif 000035
【０１４９】
５５．（２０，１０）符号の生成行列は、以下の通りである実施形態４８〜４９のいずれかに記載の方法。
【０１５０】
【表３３】
2015208042.tif 000036
【０１５１】
５６．（２０，１０）符号の生成行列は、以下の通りである実施形態４８〜４９のいずれかに記載の方法。
【０１５２】
【表３４】
2015208042.tif 000037
【０１５３】
５７．タイプＡの情報ビットは、連結された２組の４ビットＣＱＩビットを含む実施形態４８〜５６のいずれかに記載の方法。
【０１５４】
５８．タイプＡの情報ビットは、２組の４ビットＣＱＩビットを含み、２組のＣＱＩビットは結合される実施形態４８〜５６のいずれかに記載の方法。
【０１５５】
５９．（２０，１０）符号の生成行列は、以下の通りである実施形態４８〜４９のいずれかに記載の方法。
【０１５６】
【表３５】
2015208042.tif 000038
【０１５７】
６０．異なる送信電力は、タイプＡおよびタイプＢの情報ビットに使用される実施形態４８〜５９のいずれかに記載の方法。
【０１５８】
６１．タイプＡおよびタイプＢの情報ビットの送信電力は、基準チャネルで独立に定義される実施形態６０に記載の方法。
【０１５９】
６２．基準チャネルは、ＣＰＩＣＨ、Ｐ−ＣＣＰＣＨ、ＳＣＨ、ＨＳ−ＳＣＣＨ、ＤＰＣＣＨ、Ｅ−ＤＰＣＣＨ、およびＲＡＣＨのうちの１つである実施形態６１に記載の方法。
【０１６０】
６３．タイプＡおよびタイプＢの情報ビットの一方の送信電力は、基準チャネルで独立に定義され、もう一方の情報ビットの送信電力は、ネットワークで供給された式として判定される実施形態６０に記載の方法。
【０１６１】
６４．タイプＢの情報ビットの送信電力は、ルックアップテーブル（ＬＵＴA）を使用して算出される実施形態６０に記載の方法。
【０１６２】
６５．情報ビットを符号化するためのＷＴＲＵ。
【０１６３】
６６．各入力ビットが特定の重要性を有する入力ビットを生成するためのデータ生成器を備えた実施形態６５に記載のＷＴＲＵ。
【０１６４】
６７．入力ビットに線形ブロック符号化を行って、出力符号語を生成するためのエンコーダであって、入力ビットは各入力ビットの重要性に基づいて、特定のレベルの誤り保護が提供されるエンコーダを備えた実施形態６６に記載のＷＴＲＵ。
【０１６５】
６８．出力符号語を送るための送信機を備えた実施形態６７に記載のＷＴＲＵ。
【０１６６】
６９．データ生成器は、少なくとも１組のＣＱＩビットを入力ビットとして生成するためのＣＱＩ生成器を備えた実施形態６６〜６８のいずれかに記載のＷＴＲＵ。
【０１６７】
７０．ＣＱＩ生成器は、複数組のＣＱＩビットを生成し、複数組のＣＱＩビットのうちの１つが一次ＣＱＩビットと記され、ＣＱＩビットの残りの組が二次ＣＱＩビットと記され、一次ＣＱＩビットおよび二次ＣＱＩビットを、符号化のための入力ビットとして連結する実施形態６９に記載のＷＴＲＵ。
【０１６８】
７１．ＣＱＩ生成器は、複数組のＣＱＩビットを生成し、複数組のＣＱＩビットのうちの１つが一次ＣＱＩビットと記され、ＣＱＩビットの残りの組が二次ＣＱＩビットと記され、二次ＣＱＩビットを一次ＣＱＩビットと結合し、一次ＣＱＩビットおよび結合された二次ＣＱＩビットを、符号化のための入力ビットとして連結する実施形態６９に記載のＷＴＲＵ。
【０１６９】
７２．入力ビットは、５ビットであり、生成行列は、以下の（２０，５）符号化のためのものである実施形態６６〜７１のいずれかに記載のＷＴＲＵ。
【０１７０】
【表３６】
2015208042.tif 000039
【０１７１】
７３．入力ビットは、５ビットであり、生成行列は、以下の（２０，５）符号化のためのものである実施形態６６〜７１のいずれかに記載のＷＴＲＵ。
【０１７２】
【表３７】
2015208042.tif 000040
【０１７３】
７４．データ生成器は、少なくとも１組のＣＱＩビットを生成するＣＱＩ生成器と、ＰＣＩビットを生成するＰＣＩ生成器とを備え、ＣＱＩビットおよびＰＣＩビットは、入力ビットとして連結される実施形態６６〜６９のいずれかに記載のＷＴＲＵ。
【０１７４】
７５．入力ビット生成器は、入力ビットの重要性に応じて少なくとも１つの入力ビットを複製する実施形態７４に記載のＷＴＲＵ。
【０１７５】
７６．入力ビットは、連結され、異なるタイミングで送信される必要がある少なくとも２つの異なる情報ビットである実施形態６６〜７５のいずれかに記載のＷＴＲＵ。
【０１７６】
７７．入力ビットは、ＣＱＩビットおよび確認応答ビットである実施形態７６に記載のＷＴＲＵ。
【０１７７】
７８．各入力ビットが特定の重要性を有するｋ個の入力ビットを生成するためのデータ生成器を備える実施形態６５に記載のＷＴＲＵ。
【０１７８】
７９．ｋ×ｎ生成行列を使用して入力ビットを符号化して、出力符号語を生成するためのエンコーダであって、生成行列がｋ×ｍ最大最小ハミング距離符号の部分行列と、ＭＳＢおよび次のＭＳＢに対応する少なくとも１つの要素が「１」に設定される以外はすべて「０」であるｋ×（ｎ−ｍ）部分行列とを含むエンコーダを備えた実施形態７８に記載のＷＴＲＵ。
【０１７９】
８０．出力符号語を送るための送信機を備えた実施形態７９に記載のＷＴＲＵ。
【０１８０】
８１．入力ビットは、５ビットであり、生成行列は、以下の（２０，５）符号化のためのものである実施形態７９〜８０のいずれかに記載のＷＴＲＵ。
【０１８１】
【表３８】
2015208042.tif 000041
【０１８２】
８２．入力ビットは、８ビットであり、生成行列は、以下の（２０，８）符号化のためのものである実施形態７９〜８０のいずれかに記載のＷＴＲＵ。
【０１８３】
【表３９】
2015208042.tif 000042
【０１８４】
８３．入力ビットを生成するためのデータ生成器であって、各入力ビットは特定の重要性を有し、入力ビットの各々を複製し、各入力ビットの複製の数は、各入力ビットの重要性に依存するデータ生成器を備えた実施形態６５に記載のＷＴＲＵ。
【０１８５】
８４．均一保護符号を使用して複製された入力ビットに線形ブロック符号化を行って、出力符号語を生成するための符号化を備えた実施形態８３に記載のＷＴＲＵ。
【０１８６】
８５．出力符号語を送るための送信機を備えた実施形態８４に記載のＷＴＲＵ。
【０１８７】
８６．均一保護符号は、Ｒｅｅｄ−Ｍｕｌｌｅｒ符号である実施形態８４〜８５のいずれかに記載のＷＴＲＵ。
【０１８８】
８７．ＣＱＩビットおよびＰＣＩビットを含むタイプＢの情報ビットを生成するためのデータ生成器を備えた実施形態６５に記載のＷＴＲＵ。
【０１８９】
８８．（２０，７）符号を使用してタイプＢの情報ビットを符号化して、出力符号語を生成するためのエンコーダであって、（２０，７）符号の最小距離は８であり、（２０，７）符号の重み分布は非最適であり、（２０，７）符号はＣＱＩビットの最上位ビット（ＭＳＢ）により良い保護を提供するエンコーダを備えた実施形態８７に記載のＷＴＲＵ。
【０１９０】
８９．出力符号語を送るための送信機を備えた実施形態８８に記載のＷＴＲＵ。
【０１９１】
９０．（２０，７）符号は、タイプＡの情報ビットの（２０，１０）符号の非サブセット符号である実施形態８８〜８９のいずれかに記載のＷＴＲＵ。
【０１９２】
９１．（２０，７）符号は、１ビット反転を有するタイプＡの情報ビットの（２０，１０）符号のサブセット符号である実施形態８８〜８９のいずれかに記載のＷＴＲＵ。
【０１９３】
９２．（２０，７）符号の生成行列は、以下の通りである実施形態８８〜８９のいずれかに記載のＷＴＲＵ。
【０１９４】
【表４０】
2015208042.tif 000043
【０１９５】
９３．ＣＱＩビットおよびＰＣＩビットを含むタイプＢの情報ビットを生成するためのデータ生成器を備えた実施形態６５に記載のＷＴＲＵ。
【０１９６】
９４．（２０，７）符号を使用してタイプＢの情報ビットを符号化して、出力符号語を生成するためのエンコーダであって、（２０，７）符号の最小距離は８であり、（２０，７）符号はタイプＢの情報ビットに均一保護を提供するエンコーダを備えた実施形態９３に記載のＷＴＲＵ。
【０１９７】
９５．出力符号語を送るための送信機を備えた実施形態９４に記載のＷＴＲＵ。
【０１９８】
９６．（２０，７）符号の生成行列は、以下の通りである実施形態９４〜９５のいずれかに記載のＷＴＲＵ。
【０１９９】
【表４１】
2015208042.tif 000044
【０２００】
９７．ＣＱＩビットおよびＰＣＩビットを含むタイプＢの情報ビットを生成するためのデータ生成器を備えた実施形態６５に記載のＷＴＲＵ。
【０２０１】
９８．（２０，６）符号を使用してタイプＢの情報ビットを符号化して、出力符号語を生成するためのエンコーダであって、（２０，６）符号はタイプＢの情報ビットにほぼ均一の保護を提供するエンコーダを備えた実施形態９７に記載のＷＴＲＵ。
【０２０２】
９９．出力符号語を送るための送信機を備えた実施形態９８に記載のＷＴＲＵ。
【０２０３】
１００．（２０，６）符号の生成行列は、以下の通りである実施形態９８〜９９のいずれかに記載のＷＴＲＵ。
【０２０４】
【表４２】
2015208042.tif 000045
【０２０５】
１０１．ＣＱＩビットおよびＰＣＩビットを含むタイプＢの情報を生成するためのデータ生成器であって、各タイプＢの情報ビットが特定の重要性を有し、複製されたタイプＢの情報ビットの重要性に基づいて、少なくとも１つのタイプＢの情報ビットを複製するデータ生成器を備えた実施形態６５に記載のＷＴＲＵ。
【０２０６】
１０２．タイプＢの情報ビットを符号化して、出力符号語を生成するためのエンコーダを備えた実施形態１０１に記載のＷＴＲＵ。
【０２０７】
１０３．出力符号語を送るための送信機を備えた実施形態１０２に記載のＷＴＲＵ。
【０２０８】
１０４．タイプＡおよびタイプＢの情報ビットを符号化するためのＷＴＲＵ。
【０２０９】
１０５．タイプＡおよびタイプＢの情報ビットを生成するためのデータ生成器であって、タイプＡの情報ビットは８つのＣＱＩビットおよび２つのＰＣＩビットを含み、タイプＢの情報ビットは５つのＣＱＩビットおよび２つのＰＣＩビットを含むデータ生成器を備えた実施形態１０４に記載のＷＴＲＵ。
【０２１０】
１０６．（２０，１０）符号を使用してタイプＡの情報ビットを符号化し、（２０，７）符号を使用してタイプＢの情報ビットを符号化して、出力符号語を生成するためのエンコーダであって、（２０，７）符号は（２０，１０）符号のサブセット符号であり、（２０，１０）符号は以下の基底シーケンスに基本列オペレーションを行うことによって生成されるエンコーダを備えた実施形態１０５に記載のＷＴＲＵ。
【０２１１】
【表４３】
2015208042.tif 000046
【０２１２】
１０７．符号語を送るための送信機を備えた実施形態１０６に記載のＷＴＲＵ。
【０２１３】
１０８．（２０，１０）符号の生成行列は、以下の通りである実施形態１０６〜１０７のいずれかに記載のＷＴＲＵ。
【０２１４】
【表４４】
2015208042.tif 000047
【０２１５】
１０９．（２０，１０）符号の生成行列は、以下の通りである実施形態１０６〜１０７のいずれかに記載のＷＴＲＵ。
【０２１６】
【表４５】
2015208042.tif 000048
【０２１７】
１１０．（２０，１０）符号の生成行列は、以下の通りである実施形態１０６〜１０７のいずれかに記載のＷＴＲＵ。
【０２１８】
【表４６】
2015208042.tif 000049
【０２１９】
１１１．（２０，１０）符号の生成行列は、以下の通りである実施形態１０６〜１０７のいずれかに記載のＷＴＲＵ。
【０２２０】
【表４７】
2015208042.tif 000050
【０２２１】
１１２．（２０，１０）符号の生成行列は、以下の通りである実施形態１０６〜１０７のいずれかに記載のＷＴＲＵ。
【０２２２】
【表４８】
2015208042.tif 000051
【０２２３】
１１３．（２０，１０）符号の生成行列は、以下の通りである実施形態１０６〜１０７のいずれかに記載のＷＴＲＵ。
【０２２４】
【表４９】
2015208042.tif 000052
【０２２５】
１１４．（２０，１０）符号の生成行列は、以下の通りである実施形態１０６〜１０７のいずれかに記載のＷＴＲＵ。
【０２２６】
【表５０】
2015208042.tif 000053
【０２２７】
１１５．タイプＡの情報ビットは、連結された２組の４ビットＣＱＩビットを備えた実施形態１０６〜１１４のいずれかに記載のＷＴＲＵ。
【０２２８】
１１６．タイプＡの情報ビットは、２組の４ビットＣＱＩビットを含み、２組のＣＱＩビットは結合される実施形態１０６〜１１４のいずれかに記載のＷＴＲＵ。
【０２２９】
１１７．（２０，１０）符号の生成行列は、以下の通りである実施形態１０６〜１０７のいずれかに記載のＷＴＲＵ。
【０２３０】
【表５１】
2015208042.tif 000054
【０２３１】
１１８．異なる送信電力は、タイプＡおよびタイプＢの情報ビットに使用される実施形態１０６〜１１７のいずれかに記載のＷＴＲＵ。
【０２３２】
１１９．タイプＡおよびタイプＢの情報ビットの送信電力は、基準チャネルで独立に定義される実施形態１１８に記載のＷＴＲＵ。
【０２３３】
１２０．基準チャネルは、ＣＰＩＣＨ、Ｐ−ＣＣＰＣＨ、ＳＣＨ、ＨＳ−ＳＣＣＨ、ＤＰＣＣＨ、Ｅ−ＤＰＣＣＨ、およびＲＡＣＨのうちの１つである実施形態１１９に記載のＷＴＲＵ。
【０２３４】
１２１．タイプＡおよびタイプＢの情報ビットのうちの一方の送信電力は、基準チャネルで独立に定義され、もう一方の情報ビットの送信電力は、ネットワークで供給された式として判定される実施形態１１８に記載のＷＴＲＵ。
【０２３５】
１２２．タイプＢの情報ビットの送信電力は、ルックアップテーブル（ＬＵＴA）を使用して算出される実施形態１２１に記載のＷＴＲＵ。
【０２３６】
１２３．ＷＴＲＵにおいてＣＱＩビットを符号化するための方法。
【０２３７】
１２４．ＣＱＩビットを生成することを備えた実施形態１２３に記載の方法。
【０２３８】
１２５．ＣＱＩビットを符号化することを備えた実施形態１２４に記載の方法。
【０２３９】
１２６．利得ファクターβhsをＣＱＩビットに適用することを備えた実施形態１２５に記載の方法。
【０２４０】
１２７．符号化されたＣＱＩビットを送ることであって、ＣＱＩビットの利得ファクターβhsは、ΔCQIから変換された量子化振幅比（Ａhs＝βhs／βc）から導出され、βcはＤＰＣＣＨの利得ファクターであり、ΔCQIの量子化振幅比Ａhsへの変換は、以下の表に従って行われることを備える実施形態１２６に記載の方法。
【０２４１】
【表５２】
2015208042.tif 000055
【０２４２】
１２８．ＣＱＩビットを運ぶタイムスロットについて、ＷＴＲＵがＭＩＭＯモードに構成されていない場合、Ａhsは、信号で送られた値ΔCQIから変換された量子化振幅比に等しい実施形態１２７に記載の方法。
【０２４３】
１２９．ＣＱＩビットを運ぶタイムスロットについて、ＷＴＲＵがＭＩＭＯモードに構成されている場合、Ａhsは、タイプＢのＣＱＩが送信されるとき、信号で送られた値ΔCQIから変換された量子化振幅比に等しく、Ａhsは、タイプＡのＣＱＩが送信されるとき、信号で送られた値ΔCQI＋１から変換された量子化振幅比に等しい実施形態１２７に記載の方法。
【０２４４】
１３０．ＣＱＩビットを符号化するためのＷＴＲＵ。
【０２４５】
１３１．ＣＱＩビットを生成するためのＣＱＩ生成器を備えた実施形態１３０に記載のＷＴＲＵ。
【０２４６】
１３２．ＣＱＩビットを符号化するためのエンコーダを備えた実施形態１３１に記載のＷＴＲＵ。
【０２４７】
１３３．利得ファクターβhsをＣＱＩビットに適用し、符号化されたＣＱＩビットを送るための送信機であって、ＣＱＩビットの利得ファクターβhsは、ΔCQIから変換された量子化振幅比（Ａhs＝βhs／βc）から導出され、βcはＤＰＣＣＨの利得ファクターであり、ΔCQIの量子化振幅比Ａhsへの変換は、以下の表に従って行われる送信機を備えた実施形態１３２に記載のＷＴＲＵ。
【０２４８】
【表５３】
2015208042.tif 000056
【０２４９】
１３４．ＣＱＩビットを運ぶタイムスロットについて、ＷＴＲＵがＭＩＭＯモードに構成されていない場合、Ａhsは、信号で送られた値ΔCQIから変換された量子化振幅比に等しい実施形態１３３に記載のＷＴＲＵ。
【０２５０】
１３５．ＣＱＩビットを運ぶタイムスロットについて、ＷＴＲＵがＭＩＭＯモードに構成されている場合、Ａhsは、タイプＢのＣＱＩが送信されるとき、信号で送られた値ΔCQIから変換された量子化振幅比に等しく、Ａhsは、タイプＡのＣＱＩが送信されるとき、信号で送られた値ΔCQI＋１から変換された量子化振幅比に等しい実施形態１３３に記載のＷＴＲＵ。
【０２５１】
特徴および要素は、好ましい実施形態において特定の組合せで記載されているが、各特徴または要素は、好ましい実施形態の他の特徴および要素無しに単独で、または本発明の他の特徴および要素の有無にかかわらず様々な組合せで使用することができる。本発明で提供された方法またはフロー図は、汎用コンピュータまたはプロセッサによる実行のために、コンピュータ可読記憶媒体に有形的に具体化されるコンピュータプログラム、ソフトウェア、またはファームウェアにおいて実施することができる。コンピュータ可読記憶媒体の例には、読み取り専用メモリ（ＲＯＭ）、ランダムアクセスメモリ（ＲＡＭ）、レジスタ、キャッシュメモリ、半導体メモリデバイス、内蔵ハードディスクおよび取外式ディスクなどの磁気媒体、磁気光媒体、およびＣＤ−ＲＯＭディスクおよびデジタル多目的ディスク（ＤＶＤ）などの光媒体などがある。
【０２５２】
適したプロセッサには、例として、汎用プロセッサ、専用プロセッサ、従来のプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け専用回路（ＡＳＩＣ）、フィールドプログラマブルゲートアレイ（ＦＰＧＡ）回路、他の任意のタイプの集積回路（ＩＣ）および／またはステートマシンなどがある。
【０２５３】
ソフトウェアと関連するプロセッサは、無線送受信ユニット（ＷＴＲＵ）、ユーザ機器（ＵＥ）、端末、基地局、無線ネットワークコントローラ（ＲＮＣ）、または任意のホストコンピュータで使用するための無線周波数トランシーバを実施するために使用することができる。ＷＴＲＵは、カメラ、ビデオカメラモジュール、テレビ電話、スピーカフォン、振動デバイス、スピーカ、マイクロフォン、テレビ送受信機、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）表示ユニット、有機発光ダイオード（ＯＬＥＤ）表示ユニット、デジタル音楽プレーヤ、メディアプレーヤ、ビデオゲームプレーヤモジュール、インターネットブラウザ、および／または任意の無線ローカルエリアネットワーク（ＷＬＡＮ）モジュールなど、ハードウェアおよび／またはソフトウェアに実装されるモジュールと共に使用することができる。
【産業上の利用可能性】
【０２５４】
本発明は、一般的に無線通信システムに利用することができる。
【符号の説明】
【０２５５】
１００  ＷＴＲＵ
１０２  データ生成器
１０４  エンコーダ
１０６  送信機
１０８  ＣＱＩ生成器
１１０  ＰＣＩ生成器
２００  ノードＢ
２０２  受信機
２０４  デコーダ
２０６  スケジューラ
【図１】
2015208042.tif 000057
【図２】
2015208042.tif 000058
【図３】
2015208042.tif 000059
【図４】
2015208042.tif 000060
【図５】
2015208042.tif 000061
【図６】
2015208042.tif 000062
【図７】
2015208042.tif 000063
【図８】
2015208042.tif 000064
【図９】
2015208042.tif 000065
【図１０】
2015208042.tif 000066
【図１１】
2015208042.tif 000067
【図１２】
2015208042.tif 000068